(57)【要約】【課題】使用後、湿潤状態でより効果的に消臭効果が発揮される吸収性物品を提供する。【解決手段】  液透過性表面シートと、液不透過性シートと、これらの間に介在された吸収体と、吸収体全体を包む包装シートを備えた吸収性物品において、前記包装シートに、湿潤状態で消臭効果を奏する消臭剤、樹脂及び溶媒を主成分とするインクを用いて印刷された印刷部を配する。【選択図】図９
2010233812.tif 000002
【特許請求の範囲】
【請求項１】
液透過性表面シートと、液不透過性シートと、これらの間に介在された吸収体と、吸収体を包む包装シートとを備えた吸収性物品であって、
前記包装シートが、乾燥状態よりも湿潤状態で消臭効果を奏する消臭剤、樹脂及び溶媒を主成分とするインクを用いて印刷された印刷部を有する、
ことを特徴とする吸収性物品。
【請求項２】
前記包装シートのトップシート側の面に前記印刷部を有する請求項１に記載の吸収性物品。
【請求項３】
前記消臭剤が、湿潤状態でイオン化し、そのイオンが臭気成分を捕捉することで効果を奏する化学的消臭剤である請求項１または２に記載の吸収性物品。
【請求項４】
前記インクが、樹脂１００重量部に対して、消臭剤５〜２０部、有機溶媒３０〜７０重量部を含み、
前記樹脂はウレタン系樹脂であり、
前記溶媒はアルコール系あるいはエステル系の有機溶媒である請求項１〜３のいずれか１項に記載の吸収性物品。
【請求項５】
前記包装シートの、少なくとも吸収体の幅方向両側部に相当する部分には、前記インクで印刷されない部位が存在する請求項１〜４のいずれか１項に記載の吸収性物品。
【請求項６】
前記包装シートは不織布または紙からなり、且つ通気性を有するものである、請求項１〜５のいずれか１項に記載の吸収性物品。
【発明の詳細な説明】
【技術分野】
【０００１】
本発明は、使い捨ておむつ、生理用ナプキン等の吸収性物品に関するものである。
【背景技術】
【０００２】
一般に、使い捨ておむつ、生理用ナプキン等の吸収性物品は、使用後に排泄物の付着面が内側となるように丸め若しくは折り畳み、サニタリーボックスやおむつ保管容器等の密閉性の高い保管容器に入れて一時保管し、容器内の貯留量がある程度に達したらゴミ袋に入れて廃棄するといった使用形態がとられている。被吸収物、特に尿は、健康状態が正常な場合、排出直後にはそれほど強い臭気はなく、使用後に尿中の尿素が空気中の細菌により、アンモニアに分解されることで強い臭気が発生し、使用者に不快感をもたらす。このため、使用後の排泄物の臭気を抑制するべく、ゼオライトを含む消臭シートをトップシートの内側に配置すること（特許文献１）や、吸収体を包む中間シート（クレープ紙）に消臭剤を含有させるせること（特許文献２）、液不透過性バックシートの裏側に消臭剤シートを配置すること等が提案されている。
【先行技術文献】
【特許文献】
【０００３】
【特許文献１】特開２００１−０４６４２３号公報
【特許文献２】特開２０００−３５０７４５号公報
【発明の概要】
【発明が解決しようとする課題】
【０００４】
しかしながら、これら先行技術において、ゼオライトや活性炭のみを含む消臭シートは、湿潤状態では消臭効果が十分に発揮されないため、トップシートやクレープ紙に配置した場合には、使用量に比して十分な消臭効果が見られなかった。
そこで、本発明の主たる課題は、より効果的に消臭効果が発揮される吸収性物品を提供することにある。
【課題を解決するための手段】
【０００５】
上記課題を解決した本発明は次記のとおりである。
＜請求項１記載の発明＞
液透過性表面シートと、液不透過性シートと、これらの間に介在された吸収体と、吸収体を包む包装シートとを備えた吸収性物品であって、
前記包装シートが、乾燥状態よりも湿潤状態で消臭効果を奏する消臭剤、樹脂及び溶媒を主成分とするインクを用いて印刷された印刷部を有する、
ことを特徴とする吸収性物品。
【０００６】
（作用効果）
排泄物、特に尿を吸収、保持する部分は吸収体であるため、吸収体近傍に消臭剤が配置されることにより、高い消臭効果が得られることが期待される。しかし、吸収体近傍は使用後に湿潤状態となるのに対して、従来消臭剤粒子として使用されてきたゼオライト、活性炭などの多孔性粒子は、湿潤状態ではその孔が水分によって閉塞され、十分、かつ長期的な効果を奏することができなかった。本発明では、乾燥状態よりも湿潤状態で高い消臭効果を奏する消臭剤を使用することにより、トップシート、吸収体、吸収体を包む包装シートに消臭剤を配置することが可能である。しかし、トップシートは直接人体に触れる部分であるため、消臭剤に銀イオン等の金属イオンを含む場合に黄変などが目立つ、等の問題があり、消臭剤の配置には好ましくない。吸収体は、水分の拡散性が低い、消臭剤を均一に分散させづらい、等の問題があり、消臭剤の効果を十分に発揮しにくい。したがって、本発明では消臭剤は包装シートに配置する。
【０００７】
前記消臭剤は、樹脂及び溶媒と混合されたインクとして、前記包装シートの印刷に用いられることにより、包装シート上に塗布される。樹脂を含まない状態で消臭剤が塗布されても、消臭剤は包装シート上に保持され難い。また、包装シート自体に吸水性があるため、水分が拡散し難く、一部の消臭剤は乾燥状態に保たれ、その効果を十分に発揮することができない。樹脂インクに消臭剤を混合して塗布して乾燥させることにより、包装シート上には樹脂−消臭剤混合膜が形成される。水分は、この膜上では吸収されにくいことから、包装シート上を流れて拡散し、より広い範囲の消臭剤が湿潤状態に置かれ、より高い消臭効果を奏することが可能である。
【０００８】
＜請求項２記載の発明＞
前記包装シートのトップシート側の面に前記印刷部を有する請求項１に記載の吸収性物品。
【０００９】
（作用効果）
印刷部に含まれる消臭剤は、湿潤状態で効果を奏するため、より水分を受けやすいトップシート側に配することが好ましい。また、吸収体に吸収された排泄物からの臭気は、トップシート側に多く排出されることからも、トップシート側へ消臭剤を配することが好ましい。さらに、製造時において、予め印刷が施された包装シートを用いて吸収体を包むこともできるが、トップシート側の面への印刷は、吸収体を包んだ後の包装シートにも施すことができるため、製造効率を考慮して印刷のタイミングを選択することが可能となる。
【００１０】
＜請求項３記載の発明＞
前記消臭剤が、湿潤状態でイオン化し、そのイオンが臭気成分を捕捉することで効果を奏する化学的消臭剤である請求項１または２に記載の吸収性物品。
【００１１】
（作用効果）
本発明において使用される消臭剤は、湿潤状態でイオン化する化学的消臭剤が好適である。このような化学的消臭剤は、活性炭、ゼオライトのような臭気成分を吸着させる物理的消臭剤と異なり、臭気成分を結合により強固に捕捉する。活性炭、ゼオライト等が湿潤状態で効果が減少するのに対し、特に銅、鉄または亜鉛を含む金属錯体、イオン交換粒子等の化学的消臭剤は、湿潤状態で十分な消臭効果が得られる。
【００１２】
＜請求項４記載の発明＞
前記インクが、樹脂１００重量部に対して、消臭剤５〜２０部、有機溶媒３０〜７０重量部を含み、
前記樹脂はウレタン系樹脂であり、
前記溶媒はアルコール系あるいはエステル系の有機溶媒である請求項１〜３のいずれか１項に記載の吸収性物品。
【００１３】
（作用効果）
本発明の樹脂としては、通気性が高い点でウレタン系樹脂が好適である。溶媒としては、包装シートに残留した場合にも人体への影響が少ないアルコール系あるいはエステル系の有機溶媒が好適である。アルコール系としてはイソプロピルアルコール、エステル系としては、酢酸エチル、酢酸ｎ−ブチルが特に好ましい。
【００１４】
＜請求項５記載の発明＞
前記包装シートの、少なくとも吸収体の幅方向両側部に相当する部分には、前記インクで印刷されない部位が存在する請求項１〜４のいずれか１項に記載の吸収性物品。
【００１５】
（作用効果）
消臭剤を含有するインクによる印刷部は、包装シート上の水分の拡散性を高めるために、広範囲に設けられることが望ましいが、しかし、全体に前記インクが塗布された状態では、吸収体周縁部まで水分の拡散が進み、特に幅方向からの漏れの原因となり得る。包装シートの少なくとも吸収体の幅方向両側部に相当する部分に印刷されない部分が存在することにより、拡散した水分はインクのない両側部から包装シートを介して吸収体に吸収され、漏れは防止される。
【００１６】
＜請求項６記載の発明＞
前記包装シートは不織布または紙からなり、且つ通気性を有するものである、請求項１〜５のいずれか１項に記載の吸収性物品。
【００１７】
（作用効果）
消臭シートのシート基材がこのような通気性シートであると、基材自体が臭気吸着により若干の消臭効果を発揮できるとともに、基材の表面積が大きく通気性があることから臭気と消臭剤との接触確率が向上する。
【発明の効果】
【００１８】
以上のとおり、本発明によれば、より効果的に消臭効果が発揮されるようになる、等の利点がもたらされる。
【図面の簡単な説明】
【００１９】
【図１】パンツ型使い捨ておむつの内面を示す、おむつを展開した状態における平面図である。
【図２】パンツ型使い捨ておむつの外面を示す、おむつを展開した状態における平面図である。
【図３】図１の３−３断面図である。
【図４】図１の４−４断面図である。
【図５】図１の５−５断面図である。
【図６】パンツ型使い捨ておむつの要部のみを示す、断面図である。
【図７】製品状態の正面図である。
【図８】製品状態の背面図である。
【図９】吸収体を包んだ状態の包装シートの平面図である。
【図１０】図９の６−６断面図である。
【図１１】包装シートの断面と消臭原理を模式的に示した図である。
【図１２】包装シートの他の例の平面図である。
【図１３】他の形態のパンツ型使い捨ておむつの後側を示す斜視図である。
【発明を実施するための形態】
【００２０】
以下、本発明の実施形態について、添付図面を参照しつつ詳説する。
図１〜図８は、パンツ型使い捨ておむつの一例を示している。このパンツ型使い捨ておむつは、製品外面（裏面）をなす外装シート１２と、外装シートの内面に貼り付けられた内装体２００とから構成されているものである。内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。なお、「前後方向」とは腹側（前側）と背側（後側）を結ぶ方向を意味し、「幅方向」とは前後方向と直交する方向（左右方向）を意味し、「上下方向」とはおむつの装着状態、すなわちおむつの前身頃両側部と後身頃両側部を重ね合わせるようにおむつを股間部で２つに折った際に胴回り方向と直交する方向、換言すればウエスト開口部ＷＯ側と股間部側とを結ぶ方向を意味する。
【００２１】
（内装体）
内装体２００は任意の形状を採ることができるが、図示の形態では長方形である。内装体２００は、図３〜図５に示されるように、身体側となる表面シート３０と、液不透過性シート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立するバリヤーカフス６０を示している。
【００２２】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００２３】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００２４】
バリヤーカフス６０を設ける場合、表面シート３０の両側部は、液不透過性シート１１とバリヤーカフス６０との間を通して、吸収要素５０の裏側まで回りこませ、液の浸透を防止するために、液不透過性シート１１及びバリヤーカフス６０に対してホットメルト接着剤等により接着するのが好ましい。
【００２５】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００２６】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００２７】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００２８】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、液不透過性シート１１として用いることができる。
【００２９】
液不透過性シート１１は、防漏性を高めるために、吸収要素５０の両側を回りこませて吸収要素５０の表面シート３０側面の両側部まで延在させるのが好ましい。この延在部の幅は、左右それぞれ５〜２０ｍｍ程度が適当である。
【００３０】
また、液不透過性シート１１の内側、特に吸収体５６側面に、液分の吸収により色が変化する排泄インジケータ８０を設けることができる。
【００３１】
（バリヤーカフス）
バリヤーカフス６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態のバリヤーカフス６０は、内装体２００の側部から起立するように設けられ、付け根側の部分は幅方向中央側に向かって斜めに起立し、中間部より先端側の部分は幅方向外側に向かって斜めに起立するものである。
【００３２】
より詳細には、バリヤーカフス６０は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。バリヤーカフス６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸張状態で固定されている。
【００３３】
バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。また、図示のように、二つに折り重ねたバリヤーシートの間に防水フィルムを介在させることもできる。
【００３４】
バリヤーカフス６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００３５】
バリヤーカフス６０の取付部分６５の固定対象は、内装体２００における表面シート３０、液不透過性シート１１、吸収要素５０等適宜の部材とすることができる。
【００３６】
かくして構成されたバリヤーカフス６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍においてバリヤーカフス６０が幅方向外側に開くように起立するため、バリヤーカフス６０が脚周りに面で当接するようになり、フィット性が向上するようになる。
【００３７】
バリヤーカフス６０の寸法は適宜定めることができるが、乳幼児用紙おむつの場合は、例えば図６に示すように、バリヤーカフス６０の起立高さ（展開状態における突出部分６６の幅方向長さ）Ｗ６は１５〜６０ｍｍ、特に２０〜４０ｍｍであるのが好ましい。また、バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００３８】
なお、図示形態と異なり、内装体２００の左右各側においてバリヤーカフスを二重に（二列）設けることもできる。
【００３９】
（吸収要素）
吸収要素５０は、吸収体５６と、この吸収体５６の全体を包む包装シート５８とを有する。
【００４０】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４１】
吸収体５６は長方形形状でも良いが、図１にも示すように、前端部、後端部及びこれらの間に位置し、前端部及び後端部と比べて幅が狭い括れ部とを有する砂時計形状を成していると、吸収体５６自体とバリヤーカフス６０の、脚回りへのフィット性が向上するため好ましい。
【００４２】
また、吸収体の寸法は適宜定めることができるが、前後方向及び幅方向において、内装体の周縁部又はその近傍まで延在しているのが好ましい。
【００４３】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４４】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４５】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４６】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４７】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００４８】
（包装シート）
包装シート５８の素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、１０〜３０ｇ／ｍ2、特に２０ｇ／ｍ2程度のものが望ましい。
【００４９】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００５０】
図９に示すように、吸収材５６の全体を包む包装シート５８は、消臭剤印刷部１００を有する。使用される消臭剤は、湿潤状態で効果を奏するものであれば特に限定されないが、鉄クロロフィリンナトリウムなどの金属錯体、イオン交換能を有する無機系消臭粒子（例：ケスモンＮＳシリーズ、東亜合成株式会社製）などの化学的消臭剤が好適に使用される。化学的消臭剤は、活性炭、ゼオライトのような臭気成分を吸着させる物理的消臭剤と異なり、臭気成分を捕捉した後、当該成分を臭気を生じない状態に変換する性質を有する。金属錯体及び無機系消臭粒子は、単独でも、組み合わせても使用することができる。
【００５１】
消臭剤は、直接皮膚に接触するものではないが、皮膚刺激性の少ないものを使用することが好ましい。例えば、鉄クロロフィリン錯体は食品にも使用されるものであり、皮膚付着による有害性は低いと考えられる。また、無機系消臭粒子ケスモンについてもその安全性に関するデータが明らかにされている（東亜合成研究年報ＴＲＥＮＤ２０００第３号ｐｐ．５２−５６）。
【００５２】
鉄クロロフィリンナトリウム等の金属錯体は、金属イオンに臭気成分と溶存酸素が配位して三元錯体が形成されることにより、臭気成分が捕捉されるとともに変換される。使用する金属イオンは、鉄、銅、銀または亜鉛などを選択することができる。
【００５３】
無機系消臭粒子としては、プロトンタイプ又は金属イオンタイプの陽イオン交換能を有するもの、陰イオン交換能を有するもの等があり、これらを単独または複数種組み合わせて使用することができる。また、活性炭やゼオライトのような臭気成分を吸着する物理的消臭剤の一部をイオン置換することで、化学的消臭剤としての特性も併せ持つ消臭粒子を用いるのも好ましい。このような化学的消臭機能も有するゼオライトに相当するものとしては、例えば株式会社シナネンゼオミックのゼオミックを用いることができる。
【００５４】
尿の臭気成分のひとつであるアンモニアは、表面に水酸基を有するプロトンタイプの陽イオン交換粒子により、水酸基に捕捉されるとともに、アンモニウムイオンの状態に変換される。
−ＯＨ＋ＮＨ3  →  −Ｏ-・・ＮＨ4+ 
また、臭気成分メルカプタンは、金属を導入したイオン交換粒子の表面において、イオン化した金属にメルカプタンの硫黄が配位結合することにより捕捉される（２）。
−Ｍ＋ＲＳＨ  →  −Ｍ：Ｓ（Ｒ）Ｈ      （Ｍは金属、Ｒは有機基である。）
陰イオン交換粒子は、酢酸等の酸性物質を捕捉することができる。
−ＯＨ＋ＲＣＯＯＨ  →  −ＯＨ2+・・-ＯＯＣＲ
【００５５】
本発明では、消臭剤、樹脂及び溶媒を主成分とするインクを用い、基材シートに印刷を行い、印刷部分に消臭剤を含む包装シート５８を得る手法を提案する。印刷後の包装シート５８をおむつの製造ラインに供給してもよいが、吸収体５６を包装した後の包装シート５８に印刷を施してもよい。
【００５６】
樹脂は、消臭剤をシート基材に保持しうる限り特に限定されないが、ウレタン系樹脂（ポリウレタン樹脂）が好適である。このように通気性の高い樹脂を用いることにより、消臭剤に対する臭気の接触効率が高くなり、より優れた消臭効果が発揮されるようになる。ウレタン系樹脂は、有機ジイソシアネート化合物と高分子ジオール化合物とを反応させてウレタンプレポリマーを合成し、さらに鎖伸長剤、反応停止剤を反応させて得ることができる。ポリウレタン樹脂を合成するために利用可能な有機ジイソシアネート化合物としては、脂肪族ジイソシアネート化合物（例えば、ヘキサメチレンジイソシアネート、２，２，４−トリメチルヘキサメチレンジイソシアネートなど）、脂環族ジイソシアネート化合物（例えば、イソホロンジイソシアネート、水添キシリレンジイソシアネートなど）、芳香脂肪族ジイソシアネート化合物（キシリレンジイソシアネート、α，α，α’，α’−テトラメチルキシリレンジイソシアネートなど）、芳香族ジイソシアネート化合物（例えば、トルイレンジイソシアネート、ジフェニルメタンジイソシアネートなど）を挙げる事ができる。
【００５７】
インクには、一般的な印刷インキや塗料で使用されている各種の無機顔料や、有機顔料を含有させることができるが、特に皮膚刺激性の少ないものを使用することが望ましい。
【００５８】
溶媒としては、包装シート５８に残留した場合にも人体への影響が少ないイソプロピルアルコール等のアルコール系あるいは酢酸エチル、酢酸ｎ−ブチル等のエステル系の有機溶媒が好適である。
【００５９】
インクの配合としては、樹脂１００重量部に対して、消臭剤を５〜２０重量部及び溶媒を３０〜７０重量部とするのが好適である。消臭剤が５重量部未満であると消臭効果が不足し、２０重量部を超えると沈殿が生じやすく、印刷性能が悪くなる。溶媒が３０重量部未満であると、樹脂−消臭剤膜が厚くなりすぎ、包装シートの空気透過性が低減する、消臭剤大部分が樹脂に被覆され、消臭効果が落ちる恐れがある。また、溶媒が７０重量部を超えると、後述の水分の拡散性が不十分となる。
【００６０】
樹脂−消臭剤インクを印刷した包装シート５８に包まれた吸収体の断面を図１０に、包装シート５８の詳細を図１１に示す。印刷は、包装シートの吸収体に接する面、バックシート（液不透過性シート１１や外装シート１２等）に対する面に行ってもよく、また、両面に行ってもよいが、トップシート（表面シート３０や中間シート４０等）に対する面への印刷が、消臭剤が湿潤状態になりやすい、臭気成分はトップシート側から排出されやすいため消臭効率が高い、吸収体の包装後にも印刷が可能であり製造が容易である、等の利点があるため好ましい。樹脂−消臭剤インクで印刷すると、消臭剤、樹脂、溶媒ともに包装シート中に入り込んだ後、溶媒のみが蒸発することにより、少なくともシートの印刷面には消臭剤粒子１０１と樹脂１０２からなる消臭剤層１０３を形成する（図１１（ａ））。
【００６１】
トップシート３０を透過した水分（尿）１０４が包装シート５８に達すると、包装シート及び包装シート上の消臭剤層が湿潤状態となる（図１１（ｂ））。包装シート基材５８及び吸収体５６が水分を吸収しやすいのに対し、包装シート上の消臭剤層１０３は、水分を拡散させやすい。そのため、消臭剤層があることで広範囲に水分が分布し、より多量の消臭剤が湿潤状態となる。消臭剤が湿潤状態になると同時に、臭気成分を含む尿が広範囲の消臭剤に直接接触するため、効果的にその臭気成分を捕捉することが可能である（図１１（ｃ））。
【００６２】
ここで、消臭剤層１０３の水分拡散性は、次記の表面液流れ試験において表面液流れ距離が、包装シートの繊維方向においても、繊維と垂直な方向においても、１００ｍｍ以上２５０ｍｍ未満になるように、調整することが好ましい。表面液流れ試験は、消臭剤インクを全面に含有させた包装シートを、３枚重ねた濾紙の上に乗せ、４５度の傾斜板に乗せた後、包装シート表面の上方１ｃｍの高さから０．１ｃｃの人工尿を包装シート表面に滴下し、人工尿が滴下位置から包装シートの表面上を流れた距離を測定する方法で実施する。表面液流れ距離が１００ｍｍ未満であると尿が拡散され難く、消臭剤が十分に湿潤状態にならない。また、２５０ｍｍ以上であると、尿が拡散されすぎて、漏れにつながる。
【００６３】
吸収体に吸収された尿からも臭気成分が発生し、外部に出ようとするが（図１１（ｄ））、発生した臭気成分１０５は、包装シート５８を透過する際に、湿潤状態の消臭剤層と接触し、おむつ外に出る前に、捕捉される（図１１（ｅ））。
【００６４】
なお、消臭剤層１０３の消臭剤は、湿潤状態で効果的に消臭機能を発揮するが、水分（尿）１０４が包装シート５８表面に広く拡散することにより、包装シート５８自体も広い範囲で湿潤状態となる。包装シート５８に用いられる紙や不織布等の素材は乾燥状態では通気性に優れるが、湿潤状態では通気速度が大きく低下する。そのため、発生した臭気成分１０５が包装シート５８を通過する時間が乾燥状態と比べて長くなるため、消臭剤が臭気成分１０５を捕捉して効果的に消臭することができるようになる。
【００６５】
液不透過性シート１１を含むおむつ裏面側の層は通常透湿性（通気性）を有するため、図１１の（ａ）〜（ｅ）にて説明したような上記の効果は、樹脂−消臭剤インクの印刷を包装シート５８のバックシートに対する面に施す場合でも当然得られるものである。
【００６６】
しかし、排泄された体液の拡散のしやすさを考慮すると、樹脂−消臭剤インクの印刷は包装シート５８のトップシートに対する面に施すのが特に好ましい。アンモニアやメルカプタン等の排泄物に起因する臭気成分は水溶性であるため、捕捉されずに一旦おむつから外部に放出された臭気成分も、再び包装シート５８と接触した際にシート表面に付着しやすく、それに引き続き消臭剤層１０３に捕捉されることになる。このような一旦放出された臭気成分と包装シート５８との接触は、着用状態におけるおむつ内部空間（表面シート３０と着用者の体表面との間の空間）において特に高頻度で起こるため、樹脂−消臭剤インクの印刷は包装シート５８のトップシートに対する面に施すのが好適である。
【００６７】
消臭剤印刷部１００を吸収体の上面の広範囲に配することにより、より多くの消臭剤と広範囲の包装シートを湿潤状態とすることができるが、少なくとも吸収体の幅方向両側部に相当する部分には、印刷部を配さないことが好ましい。印刷部が広範囲に配されると、水分が拡散されやすくなるが、その反面、十分に吸収されずに、特に幅方向両側部からの漏れを起こすおそれがある。特に漏れの生じやすい幅方向両側部に印刷のない吸収部分を設けることで、漏れを防止することができる。
【００６８】
印刷部１００の形状は、少なくとも吸収体の幅方向両側部に消臭剤層が配されていない形状であれば、特に限定されるものではなく、必要とされる水分の吸収量、吸収速度と、消臭効果を鑑み、適宜選択することが可能である。印刷部１００の他の例を、図１２（ａ）〜（ｃ）に示す。図１２（ａ）は、特に水分を受けやすい部分に菱型に印刷部を配した例である。菱型の長軸の長さを、吸収体の長さの５０％以上、横軸の長さが吸収体の幅の７０％以上９０％未満とした。図１２（ｂ）は、水分を縦方向と横方向へ拡散させるため、格子状に印刷部を配した例である。図１２（ｃ）は、吸収シート５８のトップシート側の面に、可能な限り広範囲を占める長方形になるよう、印刷部を配した例である。長方形長辺の長さは包装シートの長さと同じ長さとし、短辺の長さは、吸収体の幅の７０％以上９０％未満とした。
【００６９】
（外装シート）
外装シート１２は、股間部から腹側に延在する前身頃Ｆと、股間部から背側に延在する後身頃Ｂとを有し、これら前身頃Ｆの両側部と後身頃Ｂの両側部とが接合されて、図７及び図８に示すように、装着者の胴を通すための胴開口部ＷＯ及び脚を通すための左右一対の脚開口部ＬＯが形成されているものである。符号１２Ａは接合部分を示している（以下、この部分をサイドシール部ともいう）。なお、股間部とは、展開状態における前身頃のウエスト端縁から後身頃のウエスト端縁までの前後方向中央を意味し、それよりも前側の部分及び後側の部分が前身頃Ｆ及び後身頃Ｂをそれぞれ意味する。
【００７０】
外装シート１２は、胴開口部ＷＯから脚開口部ＬＯの上端に至る前後方向範囲として定まる胴周り部Ｔと、脚開口部ＬＯを形成する部分の前後方向範囲として定まる中間部Ｌとを有する。胴周り部Ｔは、概念的に「ウエスト側端部」Ｗと「胴周り下部」Ｕとに分けることができる。これらの前後方向の長さは、製品のサイズによって異なり、適宜定めることができるが、一例を挙げると、ウエスト側端部Ｗは１５〜４０ｍｍ、胴周り下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図８に示す形態のように、すっきりとした外観とするために最も幅が狭い部分では内装体２００の幅より狭くすることが好ましいが、最も幅が狭い部分でも内装体２００の幅以上となるように定めてもよい。
【００７１】
外装シート１２は、図３〜図５に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００７２】
シート基材１２Ｓ，１２Ｈとしては、シート基材であれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００７３】
また、後述するデザインシート２５を配置する場合、外装シート１２を通してそのデザインを製品外面から良好に視認できるように、外装シート１２の総目付けは２０〜６０ｇ／ｍ2程度であるのが好ましく、外装シート１２のＪＩＳ Ｋ ７１０５に規定される全光線透過率が４０％以上、特に５０％以上となっているのが好ましい。
【００７４】
そして、外装シート１２には、胴回りに対するフィット性を高めるために、両シート基材１２Ｓ，１２Ｈ間に糸ゴム等の細長状弾性伸縮部材１５〜１９が所定の伸張率で設けられている。細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装シート１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００７５】
より詳細には、後身頃Ｂ及び前身頃Ｆのウエスト端部（上端部）Ｗにおける内側シート基材１２Ｈの内側面と外側シート基材１２Ｓの折り返し部分１２ｒの外側面との間には、幅方向全体にわたり連続するように、複数のウエスト部弾性伸縮部材１７，１８が上下方向に間隔を空けて、かつ所定の伸張率で幅方向に沿って伸張された状態で固定されている。また、ウエスト部弾性伸縮部材１７，１８のうち、胴周り下部Ｕに隣接する領域に配設される１本または複数本については、内装体２００と重なっていてもよいし、内装体２００と重なる幅方向中央部を除いてその幅方向両側にそれぞれ設けてもよい。このウエスト弾性伸縮部材１７，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、ウエスト部弾性伸縮部材１７，１８は、その全てが同じ太さと伸張率にする必要はなく、例えばウエスト側端部Ｗの上部と下部で弾性伸縮部材の太さと伸張率が異なるようにしてもよい。
【００７６】
また、前身頃Ｆ及び後身頃Ｂの胴周り下部Ｕにおける内側シート基材１２Ｈの外側面と外側シート基材１２Ｓの内側面との間には、内装体２００と重なる幅方向中央部を除いて、その上側および幅方向両側の各部位に、幅方向全体にわたり連続するように、複数の細長状弾性伸縮部材１５，１９が上下方向に間隔を空けて、かつ所定の伸張率で幅方向に沿って伸張された状態で固定されている。
【００７７】
胴回り下部Ｕの細長状弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
【００７８】
また、前身頃Ｆ及び後身頃Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、複数の細長状弾性伸縮部材１６が上下方向に間隔を空けて、かつ所定の伸張率で幅方向に沿って伸張された状態で固定されている。
【００７９】
中間部Ｌの細長状弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００８０】
なお、図示のように、胴回り下部Ｕ及び中間部Ｌの細長状弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがないため好ましい。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が切断され、伸縮力が作用しない（実質的には、弾性伸縮部材を設けないことに等しい）ように構成されている形態も含まれる。もちろん細長状弾性伸縮部材１５，１９，１６，１８の配設形態は上記例に限るものではなく、胴回り下部Ｕの幅方向全体にわたり伸縮力が作用するように、胴回り下部Ｕの細長状弾性伸縮部材１５，１９，１６，１８の一部または全部を、内装体２００を横切ってその幅方向一方側から他方側まで設けることもできる。
【００８１】
また、細長状弾性伸縮部材１５〜１９が後述するデザイン印刷を施したデザインシート２５を横切る場合において、細長状弾性伸縮部材１５〜１９として酸化チタンを含有するゴムを用いる場合には、酸化チタンの含有量が低い（例えば２％以下の）ものあるいは酸化チタンを含有しないものを用いるのが好ましい。
【００８２】
（後処理テープ）
外装シート１２の後身頃Ｂの外面における幅方向中央部には、後処理テープ７０（固定手段）が設けられている。後処理テープ７０は、おむつを表面シート３０が内側に且つ前身頃Ｆが内側となるように丸め若しくは折り畳んだ状態で固定するためのものである。一般的な後処理テープ７０は、図５に示すように、基端部７１が外装シート１２の外面に接着剤等により固定されるとともに、この基端部７１よりも先端側の部分は三つ折り（断面Ｚ字状）や二つ折りで折り畳まれて、折り重なり部分間が仮止め接着剤７２により剥離可能に固定（仮固定）されている。また、先端部に白色等の不透明色に着色された摘み部７３を有するとともに、この摘み部７３を除く部分が透明または半透明であり、この後処理テープ７０における透明または半透明の部分を通して、後処理テープ７０の外面側から後述するデザインが視認可能になっている。具体的な構造は適宜構成することができるが、図示形態では、全体を透明又は半透明の複数の基材を長手方向に連結して形成するとともに、摘み部７３に着色テープ７４を張り合わせた構造を採用している。
【００８３】
廃棄時には、おむつを表面シート３０が内側になるとともに前身頃Ｆが内側となるように丸め若しくは折り畳んだ後、後処理テープ７０の折り重なり部分を剥離して展ばし、丸めた若しくは折り畳んだおむつの後身頃Ｂからウエスト開口部ＷＯを越えて反対側の外面まで巻き付けるようにして接着剤により固定する。後処理テープ７０は、不使用時にはコンパクトに折り畳まれ、使用時には長尺状に展開できる三つ折り形状のものが特に好適である。
【００８４】
図示しないが、所謂テープ式使い捨ておむつは、身体にあてがった状態で、後身頃の両側部から突出する止着テープを腹側外面に止着することにより装着を行い、使用後は、止着テープを一旦腹側外面から取り外しした後に、前身頃と後身頃とを重ねて前身頃が内側となるように股間部側から丸め若しくは折り畳み、しかる後、後身頃の両側部の止着テープを丸めた若しくは折り畳んだおむつの両側から回しこみ外面に固定する。よって、テープ式使い捨ておむつの場合にはこの止着テープが後処理テープでもある。
【００８５】
また、図１３に示すように、パンツ型使い捨ておむつにおいても、テープ式使い捨ておむつの止着テープと同様に、後身頃Ｂにおける両側部に後処理テープ７０をそれぞれ設けることも可能である。この場合も、おむつを表面シート３０が内側になるとともに前身頃Ｆが内側となるように丸め若しくは折り畳んだ後、後処理テープ７０をそれぞれ引き出し、丸めた若しくは折り畳んだおむつの両側を回りこませ、反対側の外面まで巻き付けて固定する。
【００８６】
なお、後処理テープ７０等の固定手段は、前身頃Ｆに設けてもよく、後身頃Ｂと前身頃Ｆの両方に設けてもよい。
【００８７】
（デザインシート）
液不透過性シート１１と外装シート１２との間（外装シート１２の層間を含む）には、印刷によりデザインの施されたデザインシート２５を設けることもできる。外装シート１２を省略し、デザインシートシート２５が外面に露出する形態とすることもできる。また、図示例のデザインシートシート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
【００８８】
デザインシート２５の寸法・形状は特に限定されないが、消臭機能を十分なものとするためには十分に面積を大きくするのが好ましく、例えば、デザインシート２５の幅２５Ｘは吸収体５６の幅の５０〜１２０％程度であるのが好ましく、デザインシート２５の長さ２５Ｙは少なくとも腹側及び背側の片側で物品全長Ｙの１５〜３０％程度であるのが好ましい。また、デザインシート２５の形状はトリムロスが発生しない点では図示例のような矩形であるのが好ましいが、円形や楕円形、三角形、六角形等の幾何学形状、若しくはデザインの周囲に沿う形状にカットしても良い。また、デザインシート２５に、消臭剤を塗布することにより、消臭機能を持たせ、本発明による消臭効果をより高めることも可能である。
【００８９】
デザインシート２５のシート基材としては、プラスチックフィルムや不織布、紙などを用いることができるが、嵩高く通気性の高い素材が好ましい。デザインシート２５のシート基材が通気性を有する繊維集合体、特にパルプ繊維を主原料とする紙であると、プラスチックフィルムを用いる場合は、ムレ防止のため透湿性を有することが望ましい。不織布や紙は透湿性を有するため好ましく、後述するデザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【００９０】
（外装シート分割構造）
上述の例では、前身頃Ｆから後身頃Ｂまでを一体的な外装シート１２により連続的に覆っているが、外装シートが、装着者の胴回りのうち腹側を覆う腹側外装シートと背側を覆う背側外装シートとに分割されており、腹側外装シートの幅方向中央部内面に内装体の前端部がホットメルト接着剤等により連結されるとともに、背側外装シートの幅方向中央部内面に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができる。この場合、内装体における液不透過性シートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができる。股間部外装シートも本発明の外装シートに相当する。
【産業上の利用可能性】
【００９１】
本発明は、上記例のようなパンツ型使い捨ておむつに好適なものであるが、テープ式の使い捨ておむつ、生理用ナプキン、吸収パッド等にも適用できるものである。
【符号の説明】
【００９２】
１１…液不透過性シート、１２…外装シート、１２ｒ…折り返し部分、２５…デザインシート、２００…内装体、３０…トップシート、４０…中間シート、５０…吸収要素、５６…吸収体、５８…包装シート、６０…側部バリヤーカフス、６２…バリヤーシート、１００…消臭剤印刷部。
【図１】
2010233812.tif 000003
【図２】
2010233812.tif 000004
【図３】
2010233812.tif 000005
【図４】
2010233812.tif 000006
【図５】
2010233812.tif 000007
【図６】
2010233812.tif 000008
【図７】
2010233812.tif 000009
【図８】
2010233812.tif 000010
【図９】
2010233812.tif 000011
【図１０】
2010233812.tif 000012
【図１１】
2010233812.tif 000013
【図１２】
2010233812.tif 000014
【図１３】
2010233812.tif 000015